(57)【要約】【課題】厚みを薄くでき、尚且つ光拡散板のスピーカーユニットに対応する部分も含めて光拡散板全体を均一に発光させることができて美しい発光を実現できるスピーカー装置を提供する。【解決手段】正面視多角形枠状のプリズム４をスピーカーユニット５の外側を囲むように配設する。多角形枠状のプリズム４の一辺の一端面側にプリズム４に投光して該プリズム４を発光させる光源１１を配設する。プリズム４の前面側にプリズム４から発した光を拡散させる光拡散板１７を配設する。【選択図】        図１
2007150630.tif 000002
【特許請求の範囲】
【請求項１】
正面視多角形枠状のプリズムをスピーカーユニットの外側を囲むように配設し、該多角形枠状のプリズムの一辺の一端面側にプリズムに投光して該プリズムを発光させる光源を配設し、該プリズムの前面側にプリズムから発した光を拡散させる光拡散板を配設して成ることを特徴とするスピーカー装置。
【請求項２】
上記光源を多角形枠状のプリズムの各頂点に夫々配設し、各光源から光を照射する方向を多角形枠状のプリズムの周方向の同一方向として成ることを特徴とする請求項１に記載のスピーカー装置。
【請求項３】
上記プリズムは正面視矩形枠状であり、該矩形枠状のプリズムの各辺の光源を設けた一端面側とは反対側の端面に反射シートを貼着し、該反射シートの反射面が光源に対向していることを特徴とする請求項２に記載のスピーカー装置。
【請求項４】
プリズムの前面の表面粗さを他面よりも粗くして成ることを特徴とする請求項１〜３のいずれかに記載のスピーカー装置。
【発明の詳細な説明】
【技術分野】
【０００１】
本発明は照明機能を備えたスピーカー装置に関する。
【背景技術】
【０００２】
従来からＬＥＤ（発光ダイオード）等の光源を内装してスピーカー装置の前面側に光を照射する照明機能付きスピーカー装置が知られている（例えば特許文献１）。
【０００３】
この種のスピーカー装置には浴室、トイレ、キッチン等の部屋の天井面や壁面等に沿って設置されるものがある。一般的な天井・壁設置タイプのスピーカー装置は、図８に示すようにＬＥＤ（発光ダイオード）等の光源１１を内装しており、光源１１から発した光で部屋の照明を行っている。またこの種のスピーカー装置は、スピーカーユニット５を配設した位置に光源１１を配置できないため、スピーカーユニット５に対応する部分が他部と比べて暗くなるという問題を抱えており、このため図８の従来例ではスピーカーユニット５の前面側に位置する半透明板等の光拡散板１７で光源から発した光を拡散している。
【０００４】
しかし上記のような天井や壁に設置されるスピーカー装置は、厚みが薄く光源１１から光拡散板１７までの距離イを十分に確保できないため、光源１１からの光を光拡散板１７で十分に拡散できず、スピーカーユニット５に対応する部分が他部と比べて暗くなるという問題は解消されないし、また美しい発光とならない。またスピーカー装置の厚みを厚くすれば光源１１から光拡散板１７までの距離イを長くして光を拡散することはできるが、この場合は部屋に厚みの大きいスピーカー装置が大きく突出してしまい、部屋の見栄えが悪くなる。
【特許文献１】特開平９−２４７７７８号公報
【発明の開示】
【発明が解決しようとする課題】
【０００５】
本発明は上記従来の問題点に鑑みて発明したものであって、厚みを薄くでき、尚且つ光拡散板のスピーカーユニットに対応する部分も含めて光拡散板全体を均一に発光させることができて美しい発光を実現できるスピーカー装置を提供することを課題とするものである。
【課題を解決するための手段】
【０００６】
上記課題を解決するために本発明に係るスピーカー装置は、正面視多角形枠状のプリズム４をスピーカーユニット５の外側を囲むように配設し、該多角形枠状のプリズム４の一辺の一端面側にプリズム４に投光して該プリズム４を発光させる光源１１を配設し、該プリズム４の前面側にプリズム４から発した光を拡散させる光拡散板１７を配設して成ることを特徴とするものである。
【０００７】
このようにプリズム４をスピーカーユニット５の外側を囲むように配設し、該プリズム４の一辺の一端面側にプリズム４に投光して該プリズム４を発光させる光源１１を配設したので、光源１１から照射された光により矩形枠状のプリズム４の全体を発光できる。従ってプリズム４から光拡散板１７に向けて照射される光の照射範囲を広くでき、またこれにより光拡散板１７で拡散した光の照射範囲も広くでき、光拡散板１７のスピーカーユニット５に対応する部分も含めて光拡散板１７の全体を均一に発光させることができ、美しい発光を実現できる。またこのプリズム４を発光する光源１１はプリズム４の一辺の一端面側の側方に配置されるものであるので、スピーカー装置１を薄型化でき、部屋の見栄えを良くできる。
【０００８】
また上記光源１１を多角形枠状のプリズム４の各頂点４ｅ〜４ｈに夫々配設し、各光源１１から光を照射する方向を多角形枠状のプリズム４の周方向の同一方向とすることも好ましい。この場合、プリズム４の全体を均一に発光できる。
【０００９】
また上記プリズム４は正面視矩形枠状であり、該矩形枠状のプリズム４の各辺４ａ〜４ｄの光源１１を設けた一端面側とは反対側の端面に反射シート１３を貼着し、該反射シート１３の反射面が光源１１に対向することも好ましい。各光源１１から照射されてプリズム４の各辺４ａ〜４ｄの内部を通る光は同辺４ａ〜４ｄの光源１１とは反対側の端面において透過せずに反射シート１３で反射することとなり、プリズム４を効率良く発光できる。
【００１０】
またプリズム４の前面の表面粗さを他面よりも粗くすることも好ましい。プリズム４の前面を透過する光を拡散して前面側に照射でき、光拡散板１７の全体を一層均一に発光できる。またこの場合、プリズム４の前面以外の他面でプリズム４内を通る光を全反射でき、プリズム４の前面側を効率良く発光できる。
【発明の効果】
【００１１】
本発明では、厚みを薄くでき、尚且つ光拡散板のスピーカーユニットに対応する部分も含めて光拡散板全体を均一に発光させることができて美しい発光を実現できる。
【発明を実施するための最良の形態】
【００１２】
以下、本発明を添付図面に示す実施形態に基いて説明する。
【００１３】
本実施形態のスピーカー装置は音源のスピーカーとしては勿論、室内照明としても用いることができる照明機能付きのスピーカー装置であり、浴室、台所、便所等の水回りの部屋等の天井や壁に設置されるものである。図２では本実施形態のスピーカー装置１を部屋の天井からなる設置面２に設置した例を示している。
【００１４】
図５等に示すようにスピーカー装置１は正面視矩形状であり、後面を設置面２に沿わせて取付可能なボディ３と、ボディ３の前面側に配置されるプリズム４と、ボディ３の中央部に取付けたスピーカーユニット５を覆うスピーカーカバー６と、プリズム４及びスピーカーカバー６を介してボディ３の前面側に取付けられる取付枠７と、前記プリズム４、スピーカーカバー６、取付枠７を取付けたボディ３の外周部を覆う化粧カバー８とを備えている。なお図５ではスピーカーユニット５の図示を省略している。
【００１５】
図１のようにボディ３には外周縁に沿って正面視矩形枠状のリブ９を形成している。ボディ３のリブ９よりも外側の外周部には複数の固着用孔１０を形成してあり、各固着用孔１０にボディ３を設置面２に取付けるためのねじ等の固着具（図示せず）を挿通できるようになっている。
【００１６】
プリズム４は正面視矩形枠状で、透光性を有する透明な樹脂やガラス等からなり、該プリズム４はスピーカーユニット５の外側を囲むように前述したボディ３のリブ９の内側に収納される。
【００１７】
プリズム４の各辺４ａ〜４ｄの一端面側にはプリズム４に投光してプリズム４の前面全体を発光させるＬＥＤ（発光ダイオード）からなる光源１１を配設している。各光源１１はボディ３の前面の対応する位置に取付けた基板１２に夫々実装してあり、プリズム４の各辺４ａ〜４ｄの一端面に近接対向している。光源１１は矩形枠状のプリズム４の各頂点４ｅ〜４ｈに夫々配設してあり、各光源１１から光を照射する方向を図６の矢印に示すように矩形枠状のプリズム４の周方向の同一方向としている。これにより各光源１１からは、矩形枠状のプリズム４の各辺４ａ〜４ｄの一端面側から同辺４ａ〜４ｄに沿うように光を照射できるようになっている。
【００１８】
プリズム４の各辺４ａ〜４ｄの光源１１を設けた一端面側とは反対側の端面には反射率の高い剛体やシール等からなる反射シート１３を貼着してあり、各反射シート１３の反射面は光源１１に対向している。これにより各光源１１から照射されてプリズム４の各辺４ａ〜４ｄの内部を通る光は図６の矢印で示すように同辺４ａ〜４ｄの光源１１とは反対側の端面において透過せずに反射シート１３で反射することとなり、プリズム４を効率良く発光できる。
【００１９】
また図７に示すように上記プリズム４の前面は粗化処理して発光面１４としてあり、また他面（後面及び外周側面及び内周側面）は鏡面として反射面１５としている。このようにプリズム４の前面の表面粗さを他面よりも粗くすることで、粗面であるプリズム４の前面を透過する光を拡散して前面側に照射できる。またこの場合、プリズム４の前面以外の他面を鏡面としているので、プリズム４内を通る光を鏡面となったプリズム４の他面で全反射でき、プリズム４の前面側を効率良く発光することができる。
【００２０】
図５のようにスピーカーカバー６は正面視矩形状で、矩形枠状の外枠部１６と、外枠部１６の開口を閉塞する矩形状の光拡散板１７とで構成している。外枠部１６に取付けた光拡散板１７は半透明の樹脂やガラス等の透光材料からなり、また外枠部１６は透光性を有さない遮蔽材料からなる。スピーカーカバー６は光拡散板１７でスピーカーユニット５及びプリズム４の前方を覆うと共に外枠部１６で光源１１及び基板１２の前方を覆うようにボディ３の前面に配置されるものであり、光拡散板１７でプリズム４の前面から照射された光を拡散し、また外枠部１６で各光源１１を遮蔽する。なお光拡散板１７は全体を半透明としても良いし、またスピーカーユニット５に対応する部分のみに印刷や塗装等の処理を施してスピーカーユニット５を遮蔽するようにしても良い。
【００２１】
取付枠７はスピーカーカバー６の光拡散板１７に対応する部分が開口した矩形枠状である。取付枠７の周方向の複数箇所には外側方に向けてボディ取付部１８を突設してあり、各ボディ取付部１８には通孔１９を穿設している。またボディ３の外周部における各ボディ取付部１８に対応する位置には内周面に雌ねじを形成した取付孔２０を形成してあり、ボディ３の取付孔２０に螺合するねじのような固着具（図示せず）を各通孔１９に挿通可能としている。
【００２２】
化粧カバー８はスピーカーカバー６の光拡散板１７に対応する部分が開口した矩形枠状であり、該化粧カバー８は取付枠７の前方を覆うように配置される。従ってスピーカー装置１を図４のように正面側から見た場合は、化粧カバー８によりボディ３の外周部、スピーカーカバー６の外枠部１６、取付枠７が遮蔽され、該化粧カバー８の開口部にスピーカーカバー６の光拡散板１７及びスピーカーユニット５が位置することとなる。
【００２３】
上記スピーカー装置１を設置面２に取付けるには、例えばまずボディ３と取付枠７の間にプリズム４及びスピーカーカバー６を配置した状態で、取付枠７の各通孔１９に固着具を挿通すると共に該固着具をボディ３の取付孔２０に螺合して取付枠７をボディ３に取付け、これにより取付枠７とボディ３とでスピーカーカバー６及びプリズム４を挟持して固定する。次にこのようにプリズム４、スピーカーカバー６、取付枠７を取付けたボディ３から基板１２及びスピーカーユニット５に接続された図示しない配線を後方に引出し、該配線を天井裏や壁裏等に配した電源及び音源に電気的に接続し、この後、ボディ３を各固着用孔１０に挿通した固着具で設置面２に固着する。そしてこの後、ボディ３に化粧カバー８を取付けることで設置面２にスピーカー装置１が設置されることとなる。なお本実施形態ではスピーカーカバー６の外枠部１６とボディ３の間、取付枠７とスピーカーカバー６の外枠部１６の間の夫々に矩形枠状の防水パッキン２１を介在してあり、該防水パッキン２１によりこれらの間を防水するようにしているものとする。
【００２４】
上記のように設置されたスピーカー装置１は音源に接続したスピーカーユニット５から正面側に向けて放音できるようになっている。
【００２５】
また室内照明を行う場合は各光源１１を発光させる。これにより各光源１１から照射された光は矩形枠状のプリズム４の各辺４ａ〜４ｄの一端面を透過して同辺４ａ〜４ｄに入射し、これにより同辺４ａ〜４ｄ全体が発光し、即ちプリズム４の前面全体が発光することとなる。そしてこのように発光したプリズム４の前面から照射された光は光拡散板１７を通過する際に拡散し、これによりスピーカー装置１の正面側に拡散した光が照射されて室内照明がなされる。
【００２６】
このように本発明のスピーカー装置１は、プリズム４をスピーカーユニット５の外側を囲むように配設し、該プリズム４の一辺の一端面側にプリズム４に投光して発光させる光源１１を配設したので、光源１１から照射された光により矩形枠状のプリズム４の全体を発光できる。従ってプリズム４から光拡散板１７に向けて照射される光の照射範囲を広くでき、またこれにより光拡散板１７で拡散した光の照射範囲も広くでき、この結果、光拡散板１７のスピーカーユニット５に対応する部分も含めて光拡散板１７全体を均一に発光させることができ、美しい発光を実現できる。またプリズム４を発光する光源１１はプリズム４の一辺の一端面側の側方に配置されるものであるので、スピーカー装置１を薄型化でき、部屋の見栄えを良くできる。さらにこの場合、光源１１の前方を化粧カバー８等で覆うことで、光源１１が光拡散板１７を透して正面側に映ることを防止でき、この点でも見栄えが良い。
【００２７】
さらに本実施形態では上記光源１１をプリズム４の各頂点４ｅ〜４ｈに夫々配設し、各光源１１から光を照射する方向をプリズム４の同一周方向としたので、プリズム４全体を均一に発光することができる。
【００２８】
なお本例ではプリズム４を四角形枠状としたがこれに限定されるものではなく、プリズム４は５角形、６角形等でも良く、つまりプリズム４は正面視で多角形枠状であれば良い。
【図面の簡単な説明】
【００２９】
【図１】本発明の実施の形態の一例を示すものであり、スピーカー装置のスピーカーカバー、取付枠、化粧カバーを取外した状態を示す正面図である。
【図２】同上のスピーカー装置を天井に設置した例を示す斜視図である。
【図３】同上のスピーカー装置の斜視図である。
【図４】同上のスピーカー装置の正面図である。
【図５】同上のスピーカー装置の分解斜視図である。
【図６】同上のプリズムの説明図である。
【図７】同上のプリズムの断面図である。
【図８】従来のスピーカー装置を示すものであり、（ａ）は正面図、（ｂ）は横断面図である。
【符号の説明】
【００３０】
１  スピーカー装置
４  プリズム
４ａ〜４ｄ  辺
４ｅ〜４ｈ  頂点
５  スピーカーユニット
１１  光源
１３  反射シート
１７  光拡散板
【図１】
2007150630.tif 000003
【図２】
2007150630.tif 000004
【図３】
2007150630.tif 000005
【図４】
2007150630.tif 000006
【図５】
2007150630.tif 000007
【図６】
2007150630.tif 000008
【図７】
2007150630.tif 000009
【図８】
2007150630.tif 000010